(57)【要約】  ＮＲにおける、サイドリンク通信、サイドリンクディスカバリ、又は任意の他のサイドリンク動作用のリソース設定に関連する、ユーザ機器、基地局、及び無線通信方法が提供される。ユーザ機器は、キャリアにおけるサイドリンク送信及び受信に対して割当てられる帯域幅部分（ＢＷＰ）を決定するよう動作する回路と、キャリアにおける決定されたＢＷＰ上でサイドリンク送信及び受信を実行するよう動作する送受信機と、を備え、動的ＢＷＰ切り替えは、キャリアにおけるサイドリンク送信及び受信に対してサポートされない。
2021530880.tif 000002
【特許請求の範囲】
【請求項１】
キャリアにおけるサイドリンク送信及び受信に対して割当てられる帯域幅部分（ＢＷＰ）を決定するよう動作する回路と、
前記キャリアにおける決定された前記ＢＷＰ上で前記サイドリンク送信及び受信を実行するよう動作する送受信機と、
を備え、
動的ＢＷＰ切り替えは、前記キャリアにおける前記サイドリンク送信及び受信に対してサポートされない、
ユーザ機器。
【請求項２】
前記ＢＷＰは、前記サイドリンク送信及び受信のみに使用され、別のＢＷＰが、前記キャリアにおける前記ユーザ機器と基地局との間の伝送に対して割当てられる、
請求項１に記載のユーザ機器。
【請求項３】
前記ＢＷＰ及び前記別のＢＷＰは、前記キャリアにおいて同時にアクティブである、
請求項２に記載のユーザ機器。
【請求項４】
前記ＢＷＰ及び前記別のＢＷＰは、前記キャリアにおける同じダウンリンクＢＷＰに関連付けられる、
請求項２に記載のユーザ機器。
【請求項５】
前記ＢＷＰにおけるスロットのサイドリンク持続時間は、時分割複信の場合、前記別のＢＷＰにおけるスロットフォーマットの変更に伴って変更される、
請求項２に記載のユーザ機器。
【請求項６】
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
請求項２に記載のユーザ機器。
【請求項７】
あるＢＷＰ上での第１のチャネルと別のＢＷＰ上での第２のチャネルとのうちのどちらが伝送されるかは、前記第１のチャネルと前記第２のチャネルとの間のパワースペクトル密度差が閾値よりも大きい場合、前記第１のチャネルの優先順位及び前記第２のチャネルの優先順位に基づいて決定される、
請求項２に記載のユーザ機器。
【請求項８】
前記ＢＷＰは、前記サイドリンク送信及び受信用の時間領域リソースを示すビットマップが含まれているＢＷＰ設定シグナリングによって設定される、
請求項１に記載のユーザ機器。
【請求項９】
ユーザ機器についての無線通信方法であって、
キャリアにおけるサイドリンク送信及び受信に対して割当てられる帯域幅部分（ＢＷＰ）を決定することと、
前記キャリアにおける決定された前記ＢＷＰ上で前記サイドリンク送信及び受信を実行することと、
を含み、
動的ＢＷＰ切り替えは、前記キャリアにおける前記サイドリンク送信及び受信に対してサポートされない、
無線通信方法。
【請求項１０】
前記ＢＷＰは、前記サイドリンク送信及び受信のみに使用され、別のＢＷＰが、前記キャリアにおける前記ユーザ機器と基地局との間の伝送に対して割当てられる、
請求項９に記載の無線通信方法。
【請求項１１】
前記ＢＷＰ及び前記別のＢＷＰは、前記キャリアにおいて同時にアクティブである、
請求項１０に記載の無線通信方法。
【請求項１２】
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
請求項１０に記載の無線通信方法。
【請求項１３】
あるＢＷＰ上での第１のチャネルと別のＢＷＰ上での第２のチャネルとのうちのどちらが伝送されるかは、前記第１のチャネルと前記第２のチャネルとの間のパワースペクトル密度差が閾値よりも大きい場合、前記第１のチャネルの優先順位及び前記第２のチャネルの優先順位に基づいて決定される、
請求項１０に記載の無線通信方法。
【請求項１４】
前記ＢＷＰは、前記サイドリンク送信及び受信用の時間領域リソースを示すビットマップが含まれているＢＷＰ設定シグナリングによって設定される、
請求項９に記載の無線通信方法。
【請求項１５】
サイドリンク送信及び受信用の時間領域リソースを示すビットマップが含まれている帯域幅部分（ＢＷＰ）設定シグナリングを生成するよう動作する回路と、
ユーザ機器に前記ＢＷＰ設定シグナリングを送信するよう動作する送信機と、
を備え、
キャリアにおける前記サイドリンク送信及び受信に対して割当てられるＢＷＰは、前記ユーザ機器によって、前記ＢＷＰ設定シグナリングに基づいて決定され、
動的ＢＷＰ切り替えは、前記キャリアにおける前記サイドリンク送信及び受信に対してサポートされない、
基地局。
【請求項１６】
基地局についての無線通信方法であって、
サイドリンク送信及び受信用の時間領域リソースを示すビットマップが含まれている帯域幅部分（ＢＷＰ）設定シグナリングを生成することと、
ユーザ機器に前記ＢＷＰ設定シグナリングを送信することと、
を含み、
キャリアにおける前記サイドリンク送信及び受信に対して割当てられるＢＷＰは、前記ユーザ機器によって、前記ＢＷＰ設定シグナリングに基づいて決定され、
動的ＢＷＰ切り替えは、前記キャリアにおける前記サイドリンク送信及び受信に対してサポートされない、
無線通信方法。
【発明の詳細な説明】
【技術分野】
【０００１】
本開示は、無線通信の分野に関し、詳細には、ＮＲ（新しい無線アクセス技術）における、サイドリンク通信、サイドリンクディスカバリ、又は任意の他のサイドリンク動作用のリソース設定に関連する、ユーザ機器（ＵＥ）、基地局（ｇＮＢ）、及び無線通信方法に関する。
【背景技術】
【０００２】
ＬＴＥ（Long Term Evolution）  Ｖ２Ｘ（Vehicle to anything）では、サイドリンク通信用のリソース（事前）設定を実現するために、すなわち、サイドリンク送信／受信の動作時間／周波数位置を示すために、リソースプールの概念が採用されている。リソースプール設定は、無線リソース制御（ＲＲＣ）シグナリングによって準静的に示され、キャリアにおける時間情報及び周波数情報の両方を含む。１つのリソースプールが、キャリアにおけるＵＥ（車両）のゾーン位置（ゾーンとリソースプールとの関係が（事前に）設定されている）に基づいて、伝送のために選択される。
【０００３】
ＮＲでは、主に省電力化を目的としたリソース設定を実現するために、帯域幅部分（ＢＷＰ：Bandwidth Part）の概念が採用されている。ＢＷＰは、ＮＲにおいて指定された新しい概念であり、これは、キャリアにおける周波数領域内の１つの又は複数の連続する物理リソースブロック（ＰＲＢ）からなる。したがって、ＢＷＰは、キャリアの細分化とみなされてもよい。例えば、ＵＥは、トラフィックがある場合には広ＢＷＰにおいて、トラフィックがない又は少ない場合には狭ＢＷＰにおいて、動作することができる。ＮＲでは、最大４つのＢＷＰが、キャリアにおいて設定されてよく、１つのＢＷＰのみが、一度に１つの方向（ダウンリンク（ＤＬ）又はアップリンク（ＵＬ））においてアクティブである。ダウンリンク制御情報（ＤＣＩ）を介する動的ＢＷＰ切り替えも、ＮＲにおいて現在サポートされている。
【０００４】
これまでのところ、ＮＲにおけるサイドリンクの議論は、まだ非常に初期の段階にあり、ＮＲにおける、サイドリンク通信、サイドリンクディスカバリ、又は任意の他のサイドリンク動作用のリソースをどのように設定するかは、不明確である。
【発明の概要】
【０００５】
非限定的かつ例示的な一実施形態は、受信機設計の複雑さを低減させ、システム性能を向上させるために、ＮＲにおける、サイドリンク通信、サイドリンクディスカバリ、又は任意の他のサイドリンク動作用のリソースを決定することを容易にする。
【０００６】
本開示の第１の概括的な態様において、キャリアにおけるサイドリンク送信及び受信に対して割当てられる帯域幅部分（ＢＷＰ）を決定するよう動作する回路と、前記キャリアにおける決定された前記ＢＷＰ上で前記サイドリンク送信及び受信を実行するよう動作する送受信機と、を備え、動的ＢＷＰ切り替えは、前記キャリアにおける前記サイドリンク送信及び受信に対してサポートされない、ユーザ機器が提供される。
【０００７】
本開示の第２の概括的な態様において、キャリアにおけるサイドリンク送信及び受信に対して割当てられる帯域幅部分（ＢＷＰ）を決定することと、前記キャリアにおける決定された前記ＢＷＰ上で前記サイドリンク送信及び受信を実行することと、を含み、動的ＢＷＰ切り替えは、前記キャリアにおける前記サイドリンク送信及び受信に対してサポートされない、ユーザ機器についての無線通信方法が提供される。
【０００８】
本開示の第３の概括的な態様において、サイドリンク送信及び受信用の時間領域リソースを示すビットマップが含まれている帯域幅部分（ＢＷＰ）設定シグナリングを生成するよう動作する回路と、ユーザ機器に前記ＢＷＰ設定シグナリングを送信するよう動作する送信機と、を備え、キャリアにおける前記サイドリンク送信及び受信に対して割当てられるＢＷＰは、前記ユーザ機器によって、前記ＢＷＰ設定シグナリングに基づいて決定され、動的ＢＷＰ切り替えは、前記キャリアにおける前記サイドリンク送信及び受信に対してサポートされない、基地局が提供される。
【０００９】
本開示の第４の概括的な態様において、サイドリンク送信及び受信用の時間領域リソースを示すビットマップが含まれている帯域幅部分（ＢＷＰ）設定シグナリングを生成することと、ユーザ機器に前記ＢＷＰ設定シグナリングを送信することと、を含み、キャリアにおける前記サイドリンク送信及び受信に対して割当てられるＢＷＰは、前記ユーザ機器によって、前記ＢＷＰ設定シグナリングに基づいて決定され、動的ＢＷＰ切り替えは、前記キャリアにおける前記サイドリンク送信及び受信に対してサポートされない、基地局についての無線通信方法が提供される。
【００１０】
なお、一般的な実施形態又は特定の実施形態は、システム、方法、集積回路、コンピュータプログラム、記憶媒体、又はこれらの任意の選択的な組み合わせとして、実現可能であることに留意されたい。
【００１１】
開示されている実施形態の更なる恩恵及び利点は、本明細書及び図面から明らかになるであろう。これらの恩恵及び／又は利点は、本明細書及び図面の様々な実施形態及び特徴によって個別に得られることが可能である。ただし、このような恩恵及び／又は利点のうちの１つ以上を得るために、これらの特徴全てを設ける必要はない。
【図面の簡単な説明】
【００１２】
本開示の前述の特徴及び他の特徴は、添付の図面と併せて読まれる、以下の説明及び添付の特許請求の範囲から、より完全に明らかになるであろう。これらの図面は、本開示に従ったいくつかの実施形態を示しているだけに過ぎず、したがって、その範囲を限定するものとみなされるべきではないことを理解しながら、本開示が、添付の図面を使用することによって、更に具体的かつ詳細に説明される。
【図１】本開示の一実施形態に従ったユーザ機器の一部のブロック図を示す。
【図２】ＮＲにおけるサイドリンク送信及び受信の例示的なシナリオを概略的に示す。
【図３】ＮＲにおけるサイドリンク送信及び受信の別の例示的なシナリオを概略的に示す。
【図４】本開示の一実施形態に従った、サイドリンク及びＵｕの両方に対するＢＷＰ割当ての例示的なシナリオを概略的に示す。
【図５】本開示の一実施形態に従った、アップリンク／サイドリンクＢＷＰとダウンリンクＢＷＰとの間の関連付けの例示的なシナリオを概略的に示す。
【図６】本開示の一実施形態に従った、アップリンク／サイドリンクＢＷＰとダウンリンクＢＷＰとの間の関連付けの別の例示的なシナリオを概略的に示す。
【図７】本開示の一実施形態に従った基地局の一部のブロック図を示す。
【図８】本開示の一実施形態に従ったユーザ機器の細部のブロック図を示す。
【図９】本開示の一実施形態に従った、基地局及び２つのユーザ機器の間の通信のフローチャートの一例を概略的に示す。
【図１０】本開示の一実施形態に従った、２つのユーザ機器の間の通信のフローチャートの一例を概略的に示す。
【図１１】本開示の一実施形態に従った、ユーザ機器についての無線通信方法のフローチャートを示す。
【図１２】本開示の一実施形態に従った、基地局についての無線通信方法のフローチャートを示す。
【発明を実施するための形態】
【００１３】
以下の詳細な説明では、本出願の一部を形成する添付の図面を参照する。図面において、同様の記号は、一般に、文脈がそうでないと示さない限り、同様の構成要素を識別するものである。本開示の態様は、多種多様な構成で、配置し、置換し、組み合わせ、設計することができ、その全てが、明示的に企図されており、本開示の一部を構成することが容易に理解されるであろう。
【００１４】
本開示の一実施形態において、図１に示されているようなユーザ機器が提供される。図１は、本開示の一実施形態に従ったユーザ機器１００の一部のブロック図を示している。図１に示されているように、ＵＥ１００は、回路１１０及び送受信機１２０を備えることができる。回路１１０は、キャリアにおけるサイドリンク送信及び受信に対して割当てられる帯域幅部分（ＢＷＰ）を決定するよう動作する。送受信機１２０は、キャリアにおける決定されたＢＷＰ上でサイドリンク送信及び受信を実行するよう動作する。動的ＢＷＰ切り替えは、キャリアにおけるサイドリンク送信及び受信に対してサポートされない。
【００１５】
上述したように、主に省電力化を目的として、ＮＲでは、ＢＷＰ概念が採用され、動的ＢＷＰ切り替えが、ＮＲにおいて現在サポートされている。しかしながら、サイドリンク動作については、動的ＢＷＰ切り替えの動機付けはない。例えば、第１に、車両は、バッテリ電力によって制限されない。第２に、動的ＢＷＰ切り替えは、受信機設計を複雑にする。なぜならば、ＵＥが、既存のＮＲの枠組みと整合していない、キャリアにおいて複数のＢＷＰを同時にモニタリングする必要があり得るからである。したがって、本開示において、動的ＢＷＰ切り替えは、キャリアにおけるサイドリンク送信及び受信に対してサポートされない。
【００１６】
例えば、わかりやすくするために、図２は、ＮＲにおけるサイドリンク送信及び受信の例示的なシナリオを概略的に示している。図２に示されているように、通信は、「ＳＬ」と表記されている２つの太い矢印によって示されているサイドリンクを介して２つの車両２０１及び２０２の間で実行され得る。図１に示されているＵＥ１００は、車両２０１であってもよく、ＵＥ１００と通信する別のユーザ機器は、車両２０２であってもよく、その逆であってもよい。
【００１７】
例えば、車両２０１は、キャリアにおけるサイドリンク送信及び受信に対して割当てられるＢＷＰを決定し、次いで、キャリアにおけるこのＢＷＰ上でサイドリンク信号を車両２０２に送信することができる。ここで、ＵＥ１００（例えば、車両２０１）から別のＵＥ(例えば、車両２０２）に送信されるサイドリンク信号は、例えば、物理サイドリンク制御チャネル（ＰＳＣＣＨ）のような制御チャネル、物理サイドリンク共有チャネル（ＰＳＳＣＨ）のようなデータチャネル、又は、物理サイドリンクブロードキャストチャネル（ＰＳＢＣＨ）／プライマリサイドリンク同期信号（ＰＳＳＳ）のような同期チャネルであり得る。また、車両２０１は、このＢＷＰ上で車両２０２からサイドリンク信号を受信することができる。
【００１８】
ＮＲにおける現在の規格とは異なり、本開示において、動的ＢＷＰ切り替えは、キャリアにおけるサイドリンク送信及び受信に対してサポートされない。動的ＢＷＰ切り替えは、サイドリンク送信及び受信に対してサポートされないので、受信機設計を複雑にする必要がない。
【００１９】
加えて、図１〜図２を参照して説明した例示的なシナリオは、キャリアにおいてユーザ機器と基地局との間にシグナリングがないアンライセンスキャリアの場合に対応し得る。例えば、キャリアは、ＩＴＳ用のアンライセンスキャリアである。この場合、１つのＢＷＰは、１つのキャリアと同等であってもよい。アンライセンスキャリアの場合の更なる詳細については後述する。
【００２０】
動的ＢＷＰ切り替えがサイドリンク送信及び受信に対してサポートされないことが、この規格において規定され得る。しかしながら、本開示はこれに限定されるものではない。また、動的ＢＷＰ切り替えがサイドリンク送信及び受信に対してサポートされないことが、シグナリングによって設定又は事前設定されてもよい。例えば、ＵＥ１００がＢＳのカバレッジ内にある場合、ＵＥ１００は、動的ＢＷＰ切り替えがサイドリンク送信及び受信に対してサポートされないことを設定するシグナリングをＢＳから受信することができる。一方、ＵＥ１００がいずれのＢＳのカバレッジ外にある場合、例えば、ＵＥ１００を設計する際に、事前にオペレータによってＵＥ１００に設定されて記憶されているシグナリングを介して、動的ＢＷＰ切り替えがサイドリンク送信及び受信に対してサポートされないことを事前設定することができる。
【００２１】
図１に示されているユーザ機器１００によれば、動的ＢＷＰ切り替えがサイドリンク送信及び受信に対してサポートされないので、受信機設計の複雑さを低減させることができ、システム性能を向上させることができる。
【００２２】
上述したように、ＮＲにおけるサイドリンクの議論は、まだ非常に初期の段階にあり、ＮＲにおける、サイドリンク通信、サイドリンクディスカバリ、又は任意の他のサイドリンク動作用のリソースをどのように設定するかは、不明確である。例えば、考慮すべき問題のうちの１つは、基地局との信号インタラクション（Ｕｕ）と、サイドリンク送信及び受信と、が、ＮＲにおけるアップリンクキャリアにおいてどのように共存できるか、ということである。例えば、サイドリンク送信及び受信が同じＢＷＰ内でＵｕ通信と共存する場合、Ｕｕに対して動的ＢＷＰ切り替えを適用することは困難であるように思われる。その理由は、動的ＢＷＰ切り替えが、キャリアにおいてサイドリンクメッセージを受信するために複数のＢＷＰをモニタリングする必要があるサイドリンク受信機を複雑にし、動的ＢＷＰ切り替えが、干渉変動に起因するサイドリンク検知性能に影響を及ぼすからである。これは、ＩＴＳキャリアについてのサイドリンク動作にも当てはまる。しかしながら、Ｕｕのための（例えば、拡張モバイルブロードバンド（ｅＭＢＢ）又は超高信頼・低遅延通信（ＵＲＬＬＣ）のための）動的ＢＷＰ切り替えは、省電力、負荷バランシング等の点でＵｕ性能に影響を及ぼし得ない。
【００２３】
ＩＴＳキャリアは、高度道路交通システムのために規制された５．９ＧＨｚスペクトルのようなものであるのに対し、Ｕｕキャリアは、オペレータによって管理される特定の帯域で運用されるライセンスキャリアであることに留意されたい。ＩＴＳキャリア及びＵｕキャリアの概念は当業者には周知であるので、これらは、本開示の着想点を混乱させることを避けるために、詳細には説明されない。
【００２４】
上記に鑑みて、本開示の一実施形態に従うと、図１に示されているＵＥ１００において、上記のＢＷＰは、サイドリンク送信及び受信のみに使用され、別のＢＷＰが、キャリアにおけるこのユーザ機器と基地局との間の伝送に対して割当てられる。
【００２５】
例えば、理解しやすくするために、図３は、ＮＲにおけるサイドリンク送信及び受信の別の例示的なシナリオを概略的に示している。図２と同様に、図３において、通信は、「ＳＬ」と表記されている２つの太い矢印によって示されているサイドリンクを介して２つの車両２０１及び２０２の間で実行され得る。図１に示されているＵＥ１００は、車両２０１であってもよく、ＵＥ１００と通信する別のユーザ機器は、車両２０２であってもよく、その逆であってもよい。冗長さを避けるために、図２における内容と同じ内容は再度説明されない。図２とは異なり、図３において、ＢＳ３１０が更に存在し、２つの車両２０１及び２０２は両方ともＢＳ３１０のカバレッジ内にある。また、Ｕｕ通信が、「ＤＬ」又は「ＵＬ」と表記されているそれぞれの細い矢印によって示されているように、２つの車両２０１及び２０２の各々とＢＳ３１０との間で実行され得る。
【００２６】
図３は、サイドリンク送信及び受信とＵｕ通信とがＮＲにおいて共存する例示的なシナリオを示している。例えば、キャリアにおけるサイドリンク送信及び受信に対して割当てられたＢＷＰは、サイドリンクのみに使用される、すなわち、Ｕｕ通信と共有されない。そして、上述したように、動的ＢＷＰ切り替えは、サイドリンク送信及び受信に対してサポートされない。加えて、別のＢＷＰが、同じキャリアにおけるＵｕ通信に対して割当てられる。例えば、車両２０１がＵＥ１００であると仮定すると、キャリアにおける別のＢＷＰが、車両２０１とＢＳ３１０との間のシグナリングに対して割当てられ得る。更に、より多くのＢＷＰが、車両２０１とＢＳ３１０との間のシグナリングに対して割当てられてもよく、動的ＢＷＰ切り替えが、Ｕｕ通信に対して割当てられたこれらのＢＷＰ内で依然としてサポートされてもよい。
【００２７】
例えば、図４は、本開示の一実施形態に従った、サイドリンク及びＵｕの両方に対するＢＷＰ割当ての例示的なシナリオを概略的に示している。図４は、周波数分割複信（ＦＤＤ）の場合における、同じアップリンクキャリアにおけるサイドリンク及びＵｕの両方に対するＢＷＰ割当ての一例を示している。図４に示されているように、２つのＢＷＰ、すなわち、アップリンクＢＷＰ１及びアップリンクＢＷＰ２は、Ｕｕ通信に対して割当てられ、互いの間で動的に切り替え可能であるのに対し、１つのＢＷＰ、すなわち、サイドリンクＢＷＰは、サイドリンク送信及び受信のみに対して割当てられる。アップリンクＢＷＰ１、アップリンクＢＷＰ２、及びサイドリンクＢＷＰは、同じキャリア内にある。このようなキャリアは、サイドリンクとＵｕとが共存し得るライセンスキャリアに対応し得る。
【００２８】
ここで、アップリンクＢＷＰ１及びアップリンクＢＷＰ２は、ｅＭＢＢトラフィック、ＵＲＬＬＣトラフィック、又は同様のトラフィック用のＢＷＰを意味するＵｕ  ＢＷＰとみなされてもよい。
【００２９】
本開示における上記の構成によれば、Ｕｕ通信とサイドリンク通信とは、同じキャリアにおいて互いに影響を及ぼさず、サイドリンク受信機設計が簡略化され、動的ＢＷＰ切り替え等の、アップリンクにおけるＵｕ動作に影響を及ぼさない。
【００３０】
本開示の一実施形態に従うと、図１に示されているＵＥ１００において、ＢＷＰ及び別のＢＷＰは、キャリアにおいて同時にアクティブである。
【００３１】
例えば、図４に示されているように、第１の期間Ｔ１中、サイドリンクＢＷＰ及びアップリンクＢＷＰ２がアクティブであり、第２の期間Ｔ２中、サイドリンクＢＷＰ及びアップリンクＢＷＰ１がアクティブである。
【００３２】
したがって、本開示において、２つ以上のＢＷＰが、サイドリンクとＵｕとの共存をサポートするために、アップリンクキャリアにおいて同時にアクティブであり得る。
【００３３】
本開示の一実施形態に従うと、図１に示されているＵＥ１００において、ＢＷＰ及び別のＢＷＰは、キャリア内における同じダウンリンク(ＤＬ)ＢＷＰに関連付けられる。
【００３４】
例えば、ＦＤＤの場合、１つのＵＬ  ＢＷＰは、１つのＤＬ  ＢＷＰとペアにされる。一方、本開示において、上述したように、複数のＢＷＰが同時にアクティブであり得るので、複数のＢＷＰは、キャリアにおける同じＤＬ  ＢＷＰに関連付けられ得る。
【００３５】
例えば、図５は、本開示の一実施形態に従った、アップリンク／サイドリンクＢＷＰとダウンリンクＢＷＰとの間の関連付けの例示的なシナリオを概略的に示している。図５は、ＦＤＤの場合に対応する。図５に示されているように、Ｕｕ  ＵＬ  ＢＷＰ及びサイドリンク用のＢＷＰは、同じアップリンクキャリア内にあり、両方とも、２つの湾曲矢印によって示されているように、同じＵｕ  ＤＬ  ＢＷＰに関連付けられる。例えば、Ｕｕ  ＵＬ  ＢＷＰにおけるリソースをスケジュールするためのＵＬグラントとサイドリンクリソースをスケジュールするためのサイドリンクグラントとの両方が、このＵｕ  ＤＬ  ＢＷＰにおいて伝送され得る。ここで、サイドリンク送信及び受信は、例えば、ｇＮＢベースのスケジューリング伝送であってもよい。
【００３６】
図５はＦＤＤの場合を示しているが、本開示はこれに限定されるものではない。図６は、本開示の一実施形態に従った、アップリンク／サイドリンクＢＷＰとダウンリンクＢＷＰとの間の関連付けの別の例示的なシナリオを概略的に示している。図６は、時分割複信（ＴＤＤ）の場合に対応する。ＴＤＤの場合、同じＢＷＰがＵＬ及びＤＬの両方に対して運用されることは周知である。例えば、図６に示されているように、Ｕｕ  ＢＷＰ及びサイドリンクＢＷＰは、同じキャリア内にある。Ｕｕ  ＢＷＰは、ＵＬ伝送及びＤＬ伝送の両方に対して割当てられ、ＵＬ及びＤＬは、時分割方式でＵｕ  ＢＷＰを使用する。例えば、図６において点で埋められて「ＧＡＰ」と表記されているボックスによって示されているように、ＤＬについての持続時間とＵＬについての持続時間との間にギャップが存在し得る。この場合、サイドリンクＢＷＰ及びＵｕ  ＵＬ  ＢＷＰ（すなわち、Ｕｕ  ＢＷＰにおけるＵＬ）の両方は、２つの湾曲矢印によって示されているように、同じＵｕ  ＤＬ  ＢＷＰ(すなわち、Ｕｕ  ＢＷＰにおけるＤＬ）に関連付けられる。
【００３７】
図５に示されているＦＤＤの場合と同様に、ＴＤＤの場合、Ｕｕ  ＵＬ  ＢＷＰにおけるリソースをスケジュールするためのＵＬグラントとサイドリンクリソースをスケジュールするためのサイドリンクグラントとの両方が、Ｕｕ  ＤＬ  ＢＷＰにおいて伝送され得る。ここで、サイドリンク送信及び受信は、例えば、ｇＮＢベースのスケジューリング伝送であってもよい。
【００３８】
更に、Ｕｕが別のＢＷＰに切り替えられるとき、サイドリンクＢＷＰは、そのＢＷＰにおけるＤＬに関連付けられてもよい。
【００３９】
本開示の一実施形態に従うと、図１に示されているＵＥ１００において、ＢＷＰにおけるスロットのサイドリンク持続時間は、時分割複信（ＴＤＤ）の場合、別のＢＷＰにおけるスロットフォーマットの変更に伴って変更される、
【００４０】
例えば、図６に示されているように、Ｕｕ  ＢＷＰにおいて、スロットのＵＬ持続時間に対するＤＬ持続時間の比が変更され得る、すなわち、ＵＬ持続時間Ｔが変更され得る。これに対応して、サイドリンクＢＷＰ上のスロットにおけるサイドリンクリソースの持続時間が、ＵＬ持続時間と整合するように、ＵＬ持続時間の変更に伴って変更される。
【００４１】
本開示の一実施形態に従うと、図１に示されているＵＥ１００において、あるＢＷＰにおいて第１のチャネルを送信するか又は別のＢＷＰにおいて第２のチャネルを受信するかは、第１のチャネルの優先順位及び第２のチャネルの優先順位に基づいて決定される。
【００４２】
例えば、これは、半二重の問題を解決することに関する。上述したように、サイドリンク通信とＵｕ通信とがキャリアにおいて共存する場合、サイドリンク及びＵｕ用それぞれの２つのＢＷＰが同時にアクティブであり得る。しかしながら、この場合、ＵＥの受信又は送信は、半二重によって制限され得る。本開示に従うと、ＵＥが１つのチャネルを送信するか又は別のチャネルを受信するかは、２つのチャネルの優先順位に基づくことができ、例えば、ＵＥは、より低い優先順位を有するチャネルをドロップすべきである。ここで、上記の優先順位は、トラフィック優先順位、コンテンツ優先順位等に関連し得る。
【００４３】
例えば、ＵＥは、あるキャリアにおける１つのＢＷＰ上でＵｕ信号を送信しつつ、同じキャリアにおける別のＢＷＰ上でサイドリンク信号を受信する必要があり、サイドリンクが常により高い優先順位を有すると仮定する。この場合、ＵＥは、Ｕｕ信号をドロップし、サイドリンク信号を受信すべきである。この例は、例示のためのものに過ぎず、本開示はこれに限定されるものではないことに留意されたい。
【００４４】
本開示の一実施形態に従うと、図１に示されているＵＥ１００において、あるＢＷＰ上での第１のチャネルと別のＢＷＰ上での第２のチャネルとのうちのどちらが伝送されるかは、第１のチャネルと第２のチャネルとの間のパワースペクトル密度（ＰＳＤ）差が閾値よりも大きい場合、第１のチャネルの優先順位及び第２のチャネルの優先順位に基づいて決定される。
【００４５】
例えば、これは、ＰＳＤ差の問題を解決することに関する。上述したように、サイドリンク通信とＵｕ通信とがキャリアにおいて共存する場合、サイドリンク及びＵｕ用それぞれの２つのＢＷＰが同時にアクティブであり得る。しかしながら、ＵＥが、サイドリンクＢＷＰ上での１つのチャネルとＵｕ  ＢＷＰ上での別のチャネルとを同時に送信する必要があるとき、ＵＥは、これらの２つのチャネルの間のＰＳＤ差が、大き過ぎる、例えば、所定の閾値よりも大きい場合に遭遇することがある。本開示に従うと、２つのチャネルのうちのどちらが伝送されるかは、２つのチャネルの優先順位に基づくことができ、例えば、ＵＥは、より低い優先順位を有するチャネルをドロップすべきである。ここで、上記の優先順位は、トラフィック優先順位、コンテンツ優先順位等に関連し得る。
【００４６】
例えば、ＵＥは、あるキャリアにおける１つのＢＷＰ上でＵｕ信号を送信しつつ、同じキャリアにおける別のＢＷＰ上でサイドリンク信号を送信する必要があり、サイドリンクが常により高い優先順位を有すると仮定する。この場合、ＵＥは、Ｕｕ信号をドロップし、サイドリンク信号を送信すべきである。この例は、例示のためのものに過ぎず、本開示はこれに限定されるものではないことに留意されたい。
【００４７】
前述したように、ＮＲにおけるサイドリンク送信及び受信用のリソースをどのように設定するかは、これまでのところ不明確である。ＬＴＥ  Ｖ２Ｘにおいてサイドリンク通信用のリソース設定を実現するために、リソースプールの概念が採用されており、ＮＲにおいてリソース設定を実現するために、ＢＷＰの概念が採用されている。しかしながら、既存のＢＷＰ及びリソースプールシグナリングの両方を再利用することは、サイドリンクリソースに関して（少なくとも周波数において）冗長でかつ複雑なシグナリング設計であるように思われる。
【００４８】
上記に鑑みて、本開示の一実施形態に従うと、図１に示されているＵＥ１００において、ＢＷＰは、サイドリンク送信及び受信用の時間領域リソースを示すビットマップが含まれているＢＷＰ設定シグナリングによって設定される。
【００４９】
例えば、第１に、サイドリンク固有のＢＷＰを設定するために、例えば、ＬＴＥリソースプールにおけるサイドリンク固有のフィールドが、ＮＲサイドリンクに関する周波数及び他の情報を示すために、ＢＷＰ設定シグナリングに追加され得る（例えば、Ｒｅｌ．１４のフィールドを例としてとる）。基本的に、サイドリンク固有のＢＷＰは、例えば、図４に示されているように設定され得る。更に、ビットマップが、サイドリンクに関する時間領域リソースを示すために、ＢＷＰ設定シグナリングに追加される。このように、サイドリンクに関するリソースプール設定は必要とされない。例えば、以下のコードは、ＢＷＰ設定シグナリングの一例を示している。
【数１】
2021530880.tif 000003
【００５０】
上記の例示的なコードにおいて、ＬＴＥリソースプール関連フィールドが、最後の数行で太字のコードによって示されているように、ＮＲ  ＢＷＰ設定に含まれる。上記の例示的なコードは、例示のためのものに過ぎず、本開示はこれに限定されるものではなく、当業者は、具体的な要件に従って様々なコードを書くことができるであろうことに留意されたい。
【００５１】
加えて、ＵＥ１００が、ＢＳ（例えば、図３に示されているＢＳ３１０）のカバレッジ内にある場合、ＢＳからＢＷＰ設定シグナリングを受信し、ＢＳからのＢＷＰ設定シグナリングによって１つのＢＷＰを設定できる。そうではなく、ＵＥ１００が、ＢＳのカバレッジ外にある場合、すなわち、ＢＳからＢＷＰ設定シグナリングを受信できない場合、１つのＢＷＰは、オペレータによって事前設定され得る。例えば、オペレータは、ＵＥを設計する際に、事前に、ＢＷＰ設定シグナリングを設定し、これをＵＥに記憶することができる。したがって、この場合、ＵＥは、ＢＳからＢＷＰ設定シグナリングを受信する必要がない。
【００５２】
上記のＢＷＰ設定シグナリングによれば、本開示においてＮＲプロトコルに対する影響は少ない。
【００５３】
上記の実施形態は、サイドリンクリソースの形態としてＢＷＰを例にして説明されたが、本開示はこれに限定されるものではない。例えば、上述したようなアンライセンスキャリアの場合、１つのＢＷＰは、１つのキャリアと同等であり得る。換言すれば、アンライセンスキャリアの場合、もはやＢＷＰ設定は存在し得ない。この場合、図１に示されているＵＥ１００において、ＢＷＰは、ＢＷＰ固有の情報が含まれているリソースプール設定シグナリングによって設定される。
【００５４】
例えば、ＬＴＥ  Ｖ２Ｘにおけるリソースプールシグナリングの原理が再利用され得る。サブキャリア間隔のようなＮＲ  ＢＷＰ固有の情報が、リソースプール設定シグナリングにおいて直接示され得る。例えば、以下のコードは、リソースプール設定シグナリングの一例を示している。
【数２】
2021530880.tif 000004
【００５５】
上記の例示的なコードにおいて、ＮＲ  ＢＷＰ関連フィールドが、最後の行で太字のコードによって示されているように、リソースプール設定に含まれる。上記の例示的なコードは、例示のためのものに過ぎず、本開示はこれに限定されるものではなく、当業者は、具体的な要件に従って様々なコードを書くことができるであろうことに留意されたい。したがって、シグナリング設計及びＵＥ挙動を簡略化することができる。
【００５６】
同様に、ＵＥ１００が、ＢＳ（例えば、図３に示されているＢＳ３１０）のカバレッジ内にある場合、ＢＳからリソースプール設定シグナリングを受信することができる。そうではなく、ＵＥ１００が、ＢＳのカバレッジ外にある場合、１つのＢＷＰは、オペレータによって事前設定され得る。例えば、オペレータは、ＵＥを設計する際に、事前に、リソースプール設定シグナリングを設定し、これをＵＥに記憶することができる。したがって、この場合、ＵＥは、ＢＳからリソースプール設定シグナリングを受信する必要がない。
【００５７】
サイドリンクリソース設定シグナリングの上記の例示的な設計は、ｇＮＢスケジューリングベースの伝送モード及びＵＥ自律ベースの伝送モードの両方に適用可能である。例えば、ｇＮＢスケジューリングベースの伝送モードの場合、サイドリンクグラントにおけるＢＷＰ  ＩＤは、リソースプールＩＤとして解釈され得る、又は、そのようなフィールドは存在しない。更に、サイドリンクリソース設定シグナリングの例示的な設計は、Ｕｕキャリア及びＩＴＳキャリアの両方、並びに、通常のリソース（例えば、ＢＷＰ又はリソースプール）及びサイドリンク動作用の例外的なリソースの両方に適用可能である。加えて、異なるサイドリンクリソースは、異なるサイクリックプレフィックス（ＣＰ）／サブキャリア間隔を有することができる。
【００５８】
上記において、図１〜図６を参照して、ＵＥ１００が詳細に説明された。ＵＥ１００によれば、動的ＢＷＰ切り替えがサイドリンク送信及び受信に対してサポートされないので、受信機設計の煩雑さを低減させることができ、システム性能を向上させることができる。
【００５９】
本開示の別の実施形態において、キャリアにおけるサイドリンク送信及び受信に対して割当てられる帯域幅部分（ＢＷＰ）を決定するよう動作する回路と、キャリアにおける決定されたＢＷＰ上でサイドリンク送信及び受信を実行するよう動作する送受信機と、を備え、２つ以上のＢＷＰが、キャリアにおいて同時にアクティブである、ユーザ機器が提供される。
【００６０】
例えば、アップリンク／ダウンリンクキャリアにおいて一度にアクティブなＢＷＰのみをサポートする現在のＮＲと比較して、本開示の本実施形態に従ったユーザ機器において、２つ以上のＢＷＰがアップリンクキャリアにおいて同時にアクティブであり得る。
【００６１】
なお、図１に示されているＵＥ１００とは異なり、本実施形態に従ったユーザ機器において、動的ＢＷＰ切り替えがサイドリンク送信及び受信に対してサポートされないという制限は存在しない、すなわち、本実施形態において、動的ＢＷＰ切り替えは、具体的な状況に基づいて、サイドリンク送信及び受信に対してサポートされてもよいし、又は、サポートされなくてもよい、ことに留意されたい。
【００６２】
本開示の一実施形態に従うと、２つ以上のＢＷＰは、キャリアにおけるサイドリンク送信及び受信に対して割当てられるＢＷＰと、キャリアにおけるユーザ機器と基地局との間の伝送に対して割当てられる別のＢＷＰと、を含む。
【００６３】
例えば、サイドリンク送信及び受信に専用の１つのＢＷＰとアップリンク通信に専用の別のＢＷＰとが、アップリンクキャリアにおいて同時にアクティブであり得、その結果、サイドリンクとＵｕとがアップリンクキャリアにおいて共存し得る。
【００６４】
本開示の別の実施形態において、図７に示されているような基地局が提供される。図７は、本開示の一実施形態に従った基地局７００の一部のブロック図を示している。図７に示されているように、ＢＳ７００は、回路７１０及び送信機７２０を備えることができる。回路７１０は、サイドリンク送信及び受信用の時間領域リソースを示すビットマップが含まれている帯域幅部分（ＢＷＰ）設定シグナリングを生成するよう動作する。送信機７２０は、ユーザ機器にＢＷＰ設定シグナリングを送信するよう動作する。キャリアにおけるサイドリンク送信及び受信に対して割当てられるＢＷＰは、ユーザ機器によって、ＢＷＰ設定シグナリングに基づいて決定され、動的ＢＷＰ切り替えは、キャリアにおけるサイドリンク送信及び受信に対してサポートされない。
【００６５】
例えば、ＢＳ７００は、図３に示されているＢＳ３１０であってもよく、ユーザ機器は、図１に示されているＵＥ１００であってもよく、図３に示されている車両２０１であってもよい。上述したように、ＵＥ１００がＢＳ７００のカバレッジ内にある場合、ＵＥ１００は、ＢＳ７００からＢＷＰ設定シグナリングを受信し、ＢＷＰ設定シグナリングに基づいて、キャリアにおけるサイドリンク送信及び受信に対して割当てられるＢＷＰを決定することができる。
【００６６】
本開示の一実施形態に従うと、上記のＢＷＰは、サイドリンク送信及び受信のみに使用され、別のＢＷＰが、キャリアにおけるユーザ機器と基地局との間の伝送に対して割当てられ、送信機７２０は、キャリアにおけるダウンリンク（ＤＬ）ＢＷＰ上でダウンリンク信号をユーザ機器に送信するよう更に動作する。
【００６７】
例えば、図３を参照して上述したように、車両２０１は、ＢＳ３１０とのＵｕ通信を実行し、車両２０２とのサイドリンク送信及び受信を実行することができる。
【００６８】
ＢＳ７００によれば、動的ＢＷＰ切り替えがサイドリンク送信及び受信に対してサポートされないので、受信機設計の複雑さを低減させることができ、システム性能を向上させることができる。加えて、上記のＢＷＰ設定シグナリングによれば、本開示においてＮＲプロトコルに対する影響は少ない。
【００６９】
図８は、本開示の一実施形態に従ったユーザ機器８００の細部のブロック図を示している。図８に示されているように、ＵＥ８００は、符号化器８０１、変調器８０２、リソースマッパ８０３、リソースマルチプレクサ８０４、第１の信号プロセッサ８０５、送信機８０６、アンテナ８０７、受信機８０８、第２の信号プロセッサ８０９、リソースデマルチプレクサ８１０、リソースデマッパ８１１、復調器８１２、復号器８１３、及び制御回路８１４を備える。
【００７０】
例えば、符号化器８０１は、送信データに対して符号化処理を実行し、変調器８０２は、符号化後の送信データに対して変調処理を実行して、データシンボルを生成する。リソースマッパ８０３は、データシンボルを物理リソースにマッピングする。例えば、送信データが、別のＵＥに送信されるサイドリンクデータに属する場合、リソースマッパ８０３は、データシンボルを、サイドリンク送信及び受信に対して割当てられたＢＷＰにマッピングする。リソースマルチプレクサ８０４は、データシンボルと存在し得る制御情報及び／又は同期情報とを多重化する。第１の信号プロセッサ８０５は、リソースマルチプレクサ８０４から出力された多重化された信号に対して信号処理を実行する。送信機８０６は、処理されたサイドリンク信号を、例えば、アンテナ８０７を介して別のＵＥに送信する。
【００７１】
ここで、符号化器８０１、変調器８０２、リソースマッパ８０３、及びリソースマルチプレクサ８０４の動作は、制御回路８１４によって制御される。例えば、制御回路８１４は、キャリアにおけるサイドリンク送信及び受信に対して割当てられるＢＷＰを決定することができる。リソースマッパ８０３は、サイドリンクデータシンボルを、決定されたＢＷＰにマッピングし、送信機８０６は、キャリアにおける決定されたＢＷＰ上でサイドリンク信号を別のＵＥに送信する。また、制御回路８１４は、サイドリンク送信及び受信についての動的切り替えを制御してもよい。本開示において、動的切り替えは、サイドリンク送信及び受信に対してサポートされない。
【００７２】
加えて、受信機８０８は、別のＵＥからアンテナ８０７を介してサイドリンク信号を受信することができる。第２の信号プロセッサ８０９は、受信機８０８によって受信されたサイドリンク信号に対して信号処理を実行する。リソースデマルチプレクサ８１０は、処理されたサイドリンク信号を、サイドリンクデータと存在し得るサイドリンク制御情報及び／又は同期情報とに逆多重化する。リソースデマッパ８１１は、物理リソース、例えば、サイドリンク送信及び受信に対して割当てられたＢＷＰから、サイドリンクデータシンボルと存在し得るサイドリンク制御情報及び／又は同期情報とをデマッピングする。復調器８１２は、サイドリンクデータシンボルに対して復調処理を実行し、復号器８１３は、復調されたサイドリンクデータシンボルに対して復号処理を実行して、受信データを得る。加えて、復調器８１２は、存在し得るサイドリンク制御情報及び／又は同期情報に対しても復調処理を実行することができ、復号器８１３は、復調されたサイドリンク制御情報及び／又は同期情報に対して復号処理を実行して、サイドリンク制御情報及び／又は同期情報を、サイドリンク送信及び受信を制御するために制御回路８１４に出力する。
【００７３】
上記の場合は、前述したように、Ｕｕ通信がないアンライセンスキャリアの場合に対応し得るが、本開示はこれに限定されるものではない。ライセンスキャリアの場合、ＵＥ８００は、符号化器８０１、変調器８０２、リソースマッパ８０３、リソースマルチプレクサ８０４、第１の信号プロセッサ８０５、送信機８０６、アンテナ８０７、及び制御回路８１４を通じて、アップリンク信号を基地局（例えば、図３に示されているＢＳ３１０）に送信することができる。例えば、制御回路８１４は、キャリアにおけるＵＥ８００と基地局との間の伝送に対して割当てられる別のＢＷＰを決定し、それに対応して、リソースマッパ８０３を制御することができる。送信機８０６は、キャリアにおけるＵＥ８００とＢＳとの間の伝送に対して割当てられた別のＢＷＰ上で、ＵＬ信号を、アンテナ８０７を介してＢＳに送信する。
【００７４】
更に、上述したように、制御回路８１４は、キャリアにおけるＵＥ８００と基地局との間の伝送に対して割当てられる２つ以上のＢＷＰを決定し、それに対応して、リソースマッパ８０３を制御することができる。送信機８０６は、キャリアにおけるＵＥ８００とＢＳとの間の伝送に対して割当てられた２つ以上のＢＷＰのうちの１つのＢＷＰ上で、ＵＬ信号を、アンテナ８０７を介してＢＳに送信する。動的ＢＷＰ切り替えは、これらのＢＷＰ内ではサポートされる。
【００７５】
同様に、ライセンスキャリアの場合、ＵＥ８００は、基地局（例えば、図３に示されているＢＳ３１０）から、アンテナ８０７、受信機８０８、第２の信号プロセッサ８０９、リソースデマルチプレクサ８１０、リソースデマッパ８１１、復調器８１２、及び復号器８１３を通じて、ダウンリンク信号を受信することもできる。ＢＳからＤＬ信号を受信する原理は当業者には周知であるので、冗長さを避けるために詳細な説明は提供されない。
【００７６】
図８に示されているユーザ機器８００は、図１に示されているＵＥ１００として機能してもよいことに留意されたい。具体的には、送信機８０６と受信機８０８との組み合わせは、送受信機１２０に相当し得る。回路１１０は、符号化器８０１、変調器８０２、リソースマッパ８０３、リソースマルチプレクサ８０４、第１の信号プロセッサ８０５、第２の信号プロセッサ８０９、リソースデマルチプレクサ８１０、リソースデマッパ８１１、復調器８１２、復号器８１３、及び制御回路８１４を含むことができる。代替的に、これらのユニットのうちの１つ以上のユニットは、具体的な要件に応じて、回路１１０から分離されてもよい。
【００７７】
図９は、本開示の一実施形態に従った、ＢＳ９３０及びＵＥ９１０、９２０の間の通信のフローチャートの一例を概略的に示している。例えば、ＢＳ９３０は、図７に示されているＢＳ７００であってもよく、ＵＥ９１０は、図１に示されているＵＥ１００又は図８に示されているＵＥ８００であってもよい。
【００７８】
例えば、図９は、ＵＥ９１０及び９２０がＢＳ９３０のカバレッジ内にある場合に対応してもよく、これは、図３に示されているのと同様である。すなわち、ＵＥ９１０及び９２０はそれぞれ、車両２０１及び２０２に対応してもよく、ＢＳ９３０は、ＢＳ３１０に対応してもよい。
【００７９】
図９に示されているように、ステップＳＴ９０１において、ＵＥ９１０、９２０及びＢＳ９３０は、接続手順で互いに接続することができる。接続は、既知の又は将来開発される方法を実施することによって確立されてよく、その詳細は、本明細書では省略される。
【００８０】
ステップＳＴ９０２において、ＵＥ９１０は、ＢＳ９３０にサイドリンクスケジューリング要求を送信することができる。次いで、ステップＳＴ９０３において、ＢＳ９３０は、ＵＥ９１０から受信したサイドリンクスケジューリング要求を復号し、サイドリンク制御情報を生成する。例えば、上述したように、サイドリンク制御情報は、キャリアにおけるサイドリンク送信及び受信に専用のＢＷＰを設定するためのＢＷＰ設定シグナリングを含むことができる。
【００８１】
ステップＳＴ９０４において、ＢＳ９３０は、ＵＥ９１０に、生成したサイドリンク制御情報を送信する。次いで、ステップＳ９０５において、ＵＥ９１０は、ＢＳ９３０から受信したサイドリンク制御情報を処理する。例えば、ＵＥ９１０は、ＢＳ９３０から受信したＢＷＰ設定シグナリングに基づいて、キャリアにおけるサイドリンク送信及び受信に専用のＢＷＰを決定することができる。
【００８２】
ステップＳＴ９０６において、ＵＥ９１０及びＵＥ９２０は、キャリアにおけるサイドリンク送信及び受信に専用のＢＷＰ上で、互いとの間のサイドリンク送信及び受信を実行することができる。
【００８３】
図９には示されていないが、ＵＥ９１０及び／又はＵＥ９２０は、更に、アップリンク伝送及びダウンリンク伝送に対して割当てられたＢＷＰ上で、ＢＳ９３０との信号インタラクションを実行してもよいことに留意されたい。例えば、ＵＥ９１０は、Ｕｕについてのスケジューリング要求をＢＳ９３０に送信し、Ｕｕについての制御情報をＢＳ９３０から受信してもよい。ＵＥとＢＳとの間のアップリンク通信及びダウンリンク通信は、当業者に周知であるので、本明細書では説明されない。
【００８４】
図１０は、本開示の一実施形態に従った、ＵＥ１０１０とＵＥ１０２０との間の通信のフローチャートの一例を概略的に示している。例えば、ＵＥ１０１０は、図１に示されているＵＥ１００又は図８に示されているＵＥ８００であってもよい。
【００８５】
例えば、図１０は、ＵＥ１０１０及び１０２０がいずれのＢＳのカバレッジ外にある場合に対応してもよく、これは、図２に示されているのと同様である。すなわち、ＵＥ１０１０及び１０２０はそれぞれ、図２に示されている車両２０１及び２０２に対応してもよい。
【００８６】
上述したように、いずれのＢＳのカバレッジ外にある場合、ＵＥ１０１０は、いかなるＢＳからもサイドリンクリソース設定シグナリングを含む制御情報を受信することができない。この場合、ＵＥ１０１０は、別のＵＥとのサイドリンク送信及び受信を実行する前に、サイドリンクリソースを事前設定する必要がある。図１０に示されているように、ステップＳＴ１００１において、ＵＥ１０１０は、サイドリンクリソースを事前設定する。例えば、キャリアにおけるサイドリンク送信及び受信に専用のＢＷＰは、オペレータによって事前設定され得る。例えば、オペレータは、ＵＥを設計する際に、事前に、ＢＷＰ設定シグナリングを設定し、これをＵＥ１０１０に記憶することができ、ＵＥ１０１０は、このＢＷＰ設定シグナリングに基づいて、キャリアにおけるサイドリンク送信及び受信に専用のＢＷＰを決定することができる。
【００８７】
ステップＳＴ１００２において、ＵＥ１０１０は、接続手順でＵＥ１０２０に接続することができる。接続は、既知の又は将来開発される方法を実施することによって確立されてよく、その詳細は、本明細書では省略される。
【００８８】
ステップＳＴ１００３において、ＵＥ１０１０及びＵＥ１０２０は、キャリアにおけるサイドリンク送信及び受信に専用のＢＷＰ上で、互いとの間でサイドリンク送信及び受信を実行することができる。
【００８９】
ここで、サイドリンク送信及び受信中に接続手順は不要であり、２つのユーザ機器が接続手順なく互いとの間で直接的に通信を実行してもよいので、ステップＳＴ１００２をなくすことも可能であることに留意されたい。
【００９０】
本開示の更なる実施形態において、図１１に示されているような、ユーザ機器についての無線通信方法が提供される。図１１は、本開示の一実施形態に従った、ユーザ機器についての無線通信方法１１００のフローチャートを示している。例えば、無線通信方法１１００は、図１及び図８に示されているＵＥ１００／８００に適用されてもよい。
【００９１】
図１１に示されているように、無線通信方法１１００は、ステップＳ１１０１で開始し、ステップＳ１１０１において、キャリアにおけるサイドリンク送信及び受信に対して割当てられるＢＷＰが決定される。次いで、ステップＳ１１０２において、サイドリンク送信及び受信が、キャリアにおける決定されたＢＷＰ上で実行される。動的ＢＷＰ切り替えは、キャリアにおけるサイドリンク送信及び受信に対してサポートされない。ステップＳ１１０２の後、無線通信方法１１００は終了する。例えば、このユーザ機器とのサイドリンク送信及び受信を実行する別のユーザ機器は、図２及び図３に示されている車両２０２であってもよい。
【００９２】
無線通信方法１１００によれば、動的ＢＷＰ切り替えがサイドリンク送信及び受信に対してサポートされないので、受信機設計の複雑さを低減させることができ、システム性能を向上させることができる。
【００９３】
上述したユーザ機器１００における他の技術的特徴も、無線通信方法１１００に組み込まれてよいが、冗長さを避けるために、ここでは説明されない。
【００９４】
本開示の更なる実施形態において、図１２に示されているような、基地局についての無線通信方法が提供される。図１２は、本開示の一実施形態に従った、基地局についての無線通信方法１２００のフローチャートを示している。例えば、無線通信方法１２００は、図７に示されているＢＳ７００に適用されてもよい。
【００９５】
図１２に示されているように、無線通信方法１２００は、ステップＳ１２０１で開始し、ステップＳ１２０１において、サイドリンク送信及び受信用の時間領域リソースを示すビットマップが含まれている帯域幅部分（ＢＷＰ）設定シグナリングが生成される。次いで、ステップＳ１２０２において、ＢＷＰ設定シグナリングがユーザ機器に送信される。キャリアにおけるサイドリンク送信及び受信に対して割当てられるＢＷＰが、ユーザ機器によって、ＢＷＰ設定シグナリングに基づいて決定される。そして、動的ＢＷＰ切り替えは、キャリアにおけるサイドリンク送信及び受信に対してサポートされない。ステップＳ１２０２の後、無線通信方法１２００は終了する。例えば、ユーザ機器は、図１及び図８に示されているＵＥ１００／８００であってもよい。
【００９６】
無線通信方法１２００によれば、動的ＢＷＰ切り替えがサイドリンク送信及び受信に対してサポートされないので、受信機設計の複雑さを低減させることができ、システム性能を向上させることができる。加えて、ＢＷＰ設定シグナリングによれば、本開示においてＮＲプロトコルに対する影響は少ない。
【００９７】
上述した基地局７００における他の技術的特徴も、無線通信方法１２００に組み込まれてよいが、冗長さを避けるために、ここでは説明されない。
【００９８】
本開示の更なる実施形態において、キャリアにおけるサイドリンク送信及び受信に対して割当てられる帯域幅部分（ＢＷＰ）を決定することと、キャリアにおける決定されたＢＷＰ上でサイドリンク送信及び受信を実行することと、を含み、２つ以上のＢＷＰが、キャリアにおいて同時にアクティブである、ユーザ機器についての無線通信方法が提供される。
【００９９】
本開示は、ソフトウェアによって、ハードウェアによって、又はハードウェアと協働するソフトウェアによって、実現可能である。上述した各実施形態の説明において使用されている各機能ブロックは、集積回路としてのＬＳＩによって実現可能であり、各実施形態において説明された各プロセスは、ＬＳＩによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ここで、ＬＳＩは、集積度の違いに応じて、ＩＣ、システムＬＳＩ、スーパーＬＳＩ、又はウルトラＬＳＩと称されることがある。しかしながら、集積回路を実現する技術は、ＬＳＩに限定されるものではなく、専用回路又は汎用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。
【０１００】
本開示は、本開示の内容及び範囲から逸脱することなく、本明細書に提示された記載及び既知の技術に基づいて、当業者によって様々に変更又は修正されることを意図しており、そのような変更及び応用は、保護されることを請求する範囲に含まれる。更に、本開示の内容から逸脱しない範囲で、上述した実施形態の構成要素は、任意に組み合わせられてもよい。
【０１０１】
本開示の実施形態は、少なくとも以下の主題を提供することができる。
【０１０２】
（１）
キャリアにおけるサイドリンク送信及び受信に対して割当てられる帯域幅部分（ＢＷＰ）を決定するよう動作する回路と、
前記キャリアにおける決定された前記ＢＷＰ上で前記サイドリンク送信及び受信を実行するよう動作する送受信機と、
を備え、
動的ＢＷＰ切り替えは、前記キャリアにおける前記サイドリンク送信及び受信に対してサポートされない、
ユーザ機器。
【０１０３】
（２）
前記ＢＷＰは、前記サイドリンク送信及び受信のみに使用され、別のＢＷＰが、前記キャリアにおける前記ユーザ機器と基地局との間の伝送に対して割当てられる、
（１）に記載のユーザ機器。
【０１０４】
（３）
前記ＢＷＰ及び前記別のＢＷＰは、前記キャリアにおいて同時にアクティブである、
（２）に記載のユーザ機器。
【０１０５】
（４）
前記ＢＷＰ及び前記別のＢＷＰは、前記キャリアにおける同じダウンリンク（ＤＬ）ＢＷＰに関連付けられる、
（２）に記載のユーザ機器。
【０１０６】
（５）
前記ＢＷＰにおけるスロットのサイドリンク持続時間は、時分割複信（ＴＤＤ）の場合、前記別のＢＷＰにおけるスロットフォーマットの変更に伴って変更される、
（２）に記載のユーザ機器。
【０１０７】
（６）
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
（２）に記載のユーザ機器。
【０１０８】
（７）
あるＢＷＰ上での第１のチャネルと別のＢＷＰ上での第２のチャネルとのうちのどちらが伝送されるかは、前記第１のチャネルと前記第２のチャネルとの間のパワースペクトル密度（ＰＳＤ）差が閾値よりも大きい場合、前記第１のチャネルの優先順位及び前記第２のチャネルの優先順位に基づいて決定される、
（２）に記載のユーザ機器。
【０１０９】
（８）
前記ＢＷＰは、前記サイドリンク送信及び受信用の時間領域リソースを示すビットマップが含まれているＢＷＰ設定シグナリングによって設定される、
（１）に記載のユーザ機器。
【０１１０】
（９）
ユーザ機器についての無線通信方法であって、
キャリアにおけるサイドリンク送信及び受信に対して割当てられる帯域幅部分（ＢＷＰ）を決定することと、
前記キャリアにおける決定された前記ＢＷＰ上で前記サイドリンク送信及び受信を実行することと、
を含み、
動的ＢＷＰ切り替えは、前記キャリアにおける前記サイドリンク送信及び受信に対してサポートされない、
無線通信方法。
【０１１１】
（１０）
前記ＢＷＰは、前記サイドリンク送信及び受信のみに使用され、別のＢＷＰが、前記キャリアにおける前記ユーザ機器と基地局との間の伝送に対して割当てられる、
（９）に記載の無線通信方法。
【０１１２】
（１１）
前記ＢＷＰ及び前記別のＢＷＰは、前記キャリアにおいて同時にアクティブである、
（１０）に記載の無線通信方法。
【０１１３】
（１２）
前記ＢＷＰ及び前記別のＢＷＰは、前記キャリアにおける同じダウンリンク（ＤＬ）ＢＷＰに関連付けられる、
（１０）に記載の無線通信方法。
【０１１４】
（１３）
前記ＢＷＰにおけるスロットのサイドリンク持続時間は、時分割複信（ＴＤＤ）の場合、前記別のＢＷＰにおけるスロットフォーマットの変更に伴って変更される、
（１０）に記載の無線通信方法。
【０１１５】
（１４）
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
（１０）に記載の無線通信方法。
【０１１６】
（１５）
あるＢＷＰ上での第１のチャネルと別のＢＷＰ上での第２のチャネルとのうちのどちらが伝送されるかは、前記第１のチャネルと前記第２のチャネルとの間のパワースペクトル密度（ＰＳＤ）差が閾値よりも大きい場合、前記第１のチャネルの優先順位及び前記第２のチャネルの優先順位に基づいて決定される、
（１０）に記載の無線通信方法。
【０１１７】
（１６）
前記ＢＷＰは、前記サイドリンク送信及び受信用の時間領域リソースを示すビットマップが含まれているＢＷＰ設定シグナリングによって設定される、
（９）に記載の無線通信方法。
【０１１８】
（１７）
サイドリンク送信及び受信用の時間領域リソースを示すビットマップが含まれている帯域幅部分（ＢＷＰ）設定シグナリングを生成するよう動作する回路と、
ユーザ機器に前記ＢＷＰ設定シグナリングを送信するよう動作する送信機と、
を備え、
キャリアにおける前記サイドリンク送信及び受信に対して割当てられるＢＷＰは、前記ユーザ機器によって、前記ＢＷＰ設定シグナリングに基づいて決定され、
動的ＢＷＰ切り替えは、前記キャリアにおける前記サイドリンク送信及び受信に対してサポートされない、
基地局。
【０１１９】
（１８）
前記ＢＷＰは、前記サイドリンク送信及び受信のみに使用され、別のＢＷＰが、前記キャリアにおける前記ユーザ機器と基地局との間の伝送に対して割当てられ、
前記送信機は、前記キャリアにおけるダウンリンク（ＤＬ）ＢＷＰ上でダウンリンク信号を前記ユーザ機器に送信するよう更に動作する、
（１７）に記載の基地局。
【０１２０】
（１９）
前記ＢＷＰ及び前記別のＢＷＰは、前記キャリアにおいて同時にアクティブである、
（１８）に記載の基地局。
【０１２１】
（２０）
前記ＢＷＰ及び前記別のＢＷＰは、前記キャリアにおける同じダウンリンク（ＤＬ）ＢＷＰに関連付けられる、
（１８）に記載の基地局。
【０１２２】
（２１）
前記ＢＷＰにおけるスロットのサイドリンク持続時間は、時分割複信（ＴＤＤ）の場合、前記別のＢＷＰにおけるスロットフォーマットの変更に伴って変更される、
（１８）に記載の基地局。
【０１２３】
（２２）
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
（１８）に記載の基地局。
【０１２４】
（２３）
あるＢＷＰ上での第１のチャネルと別のＢＷＰ上での第２のチャネルとのうちのどちらが伝送されるかは、前記第１のチャネルと前記第２のチャネルとの間のパワースペクトル密度（ＰＳＤ）差が閾値よりも大きい場合、前記第１のチャネルの優先順位及び前記第２のチャネルの優先順位に基づいて決定される、
（１８）に記載の基地局。
【０１２５】
（２４）
基地局についての無線通信方法であって、
サイドリンク送信及び受信用の時間領域リソースを示すビットマップが含まれている帯域幅部分（ＢＷＰ）設定シグナリングを生成することと、
ユーザ機器に前記ＢＷＰ設定シグナリングを送信することと、
を含み、
キャリアにおける前記サイドリンク送信及び受信に対して割当てられるＢＷＰは、前記ユーザ機器によって、前記ＢＷＰ設定シグナリングに基づいて決定され、
動的ＢＷＰ切り替えは、前記キャリアにおける前記サイドリンク送信及び受信に対してサポートされない、
無線通信方法。
【０１２６】
（２５）
前記ＢＷＰは、前記サイドリンク送信及び受信のみに使用され、別のＢＷＰが、前記キャリアにおける前記ユーザ機器と基地局との間の伝送に対して割当てられ、
前記方法は、前記キャリアにおけるダウンリンク（ＤＬ）ＢＷＰ上でダウンリンク信号を前記ユーザ機器に送信することを更に含む、
（２４）に記載の無線通信方法。
【０１２７】
（２６）
前記ＢＷＰ及び前記別のＢＷＰは、前記キャリアにおいて同時にアクティブである、
（２５）に記載の無線通信方法。
【０１２８】
（２７）
前記ＢＷＰ及び前記別のＢＷＰは、前記キャリアにおける同じダウンリンク（ＤＬ）ＢＷＰに関連付けられる、
（２５）に記載の無線通信方法。
【０１２９】
（２８）
前記ＢＷＰにおけるスロットのサイドリンク持続時間は、時分割複信（ＴＤＤ）の場合、前記別のＢＷＰにおけるスロットフォーマットの変更に伴って変更される、
（２５）に記載の無線通信方法。
【０１３０】
（２９）
あるＢＷＰにおいて第１のチャネルを送信するか又は別のＢＷＰにおいて第２のチャネルを受信するかは、前記第１のチャネルの優先順位及び前記第２のチャネルの優先順位に基づいて決定される、
（２５）に記載の無線通信方法。
【０１３１】
（３０）
あるＢＷＰ上での第１のチャネルと別のＢＷＰ上での第２のチャネルとのうちのどちらが伝送されるかは、前記第１のチャネルと前記第２のチャネルとの間のパワースペクトル密度（ＰＳＤ）差が閾値よりも大きい場合、前記第１のチャネルの優先順位及び前記第２のチャネルの優先順位に基づいて決定される、
（２５）に記載の無線通信方法。
【０１３２】
（３１）
キャリアにおけるサイドリンク送信及び受信に対して割当てられる帯域幅部分（ＢＷＰ）を決定するよう動作する回路と、
前記キャリアにおける決定された前記ＢＷＰ上で前記サイドリンク送信及び受信を実行するよう動作する送受信機と、
を備え、
２つ以上のＢＷＰが、前記キャリアにおいて同時にアクティブである、
ユーザ機器。
【０１３３】
（３２）
前記２つ以上のＢＷＰは、前記キャリアにおける前記サイドリンク送信及び受信に対して割当てられる前記ＢＷＰと、前記キャリアにおける前記ユーザ機器と基地局との間の伝送に対して割当てられる別のＢＷＰと、を含む、
（３１）に記載のユーザ機器。
【０１３４】
（３３）
ユーザ機器についての無線通信方法であって、
キャリアにおけるサイドリンク送信及び受信に対して割当てられる帯域幅部分（ＢＷＰ）を決定することと、
前記キャリアにおける決定された前記ＢＷＰ上で前記サイドリンク送信及び受信を実行することと、
を含み、
２つ以上のＢＷＰが、前記キャリアにおいて同時にアクティブである、
無線通信方法。
【０１３５】
（３４）
前記２つ以上のＢＷＰは、前記キャリアにおける前記サイドリンク送信及び受信に対して割当てられる前記ＢＷＰと、前記キャリアにおける前記ユーザ機器と基地局との間の伝送に対して割当てられる別のＢＷＰと、を含む、
（３３）に記載の無線通信方法。
【図１】
2021530880.tif 000005
【図２】
2021530880.tif 000006
【図３】
2021530880.tif 000007
【図４】
2021530880.tif 000008
【図５】
2021530880.tif 000009
【図６】
2021530880.tif 000010
【図７】
2021530880.tif 000011
【図８】
2021530880.tif 000012
【図９】
2021530880.tif 000013
【図１０】
2021530880.tif 000014
【図１１】
2021530880.tif 000015
【図１２】
2021530880.tif 000016
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
キャリアにおけるサイドリンク送信及び受信に対して割当てられる帯域幅部分（ＢＷＰ）を決定する制御部と、
前記キャリアにおける決定された前記ＢＷＰ上で前記サイドリンク送信する送信部と、
前記キャリアにおける決定された前記ＢＷＰ上で前記サイドリンク受信する受信部と、
を備え、
動的なＢＷＰ切り替えは、前記キャリアにおける前記サイドリンク送信及び受信に対してサポートされない、
ユーザ機器。
【請求項２】
前記ＢＷＰは、前記サイドリンク送信及び受信のみに使用され、別のＢＷＰが、前記キャリアにおける前記ユーザ機器と基地局との間の伝送に対して割当てられる、
請求項１に記載のユーザ機器。
【請求項３】
前記ＢＷＰ及び前記別のＢＷＰは、前記キャリアにおいて同時にアクティブである、
請求項２に記載のユーザ機器。
【請求項４】
動的なＢＷＰ切り替えは、ＤＣＩを用いた切り替えであり、ＤＣＩを用いた動的なＢＷＰ切り替えは、前記キャリアにおける前記サイドリンク送信及び受信に対してサポートされない、
請求項１に記載のユーザ機器。
【請求項５】
前記ＢＷＰにおけるスロットのサイドリンク持続時間は、ＴＤＤ（時分割複信）の場合、前記別のＢＷＰにおけるスロットフォーマットの変更に伴って変更される、
請求項２に記載のユーザ機器。
【請求項６】
前記キャリアのＢＷＰにおいてサイドリンク送信するか、又は同じキャリアの別のＢＷＰにおいて前記ユーザ機器と基地局間チャネルを送信するかは、２つのチャネルの優先順位に基づいて決定される、
請求項２に記載のユーザ機器。
【請求項７】
前記ＢＷＰは、前記サイドリンク送信及び受信用の時間領域リソースを示すビットマップが含まれているＢＷＰ設定シグナリングによって設定される、
請求項１に記載のユーザ機器。
【請求項８】
キャリアにおけるサイドリンク送信及び受信に対して割当てられる帯域幅部分（ＢＷＰ）を決定するステップと、
前記キャリアにおける決定された前記ＢＷＰ上で前記サイドリンク送信するステップと、
前記キャリアにおける決定された前記ＢＷＰ上で前記サイドリンク受信するステップと、
を含み、
動的なＢＷＰ切り替えは、前記キャリアにおける前記サイドリンク送信及び受信に対してサポートされない、
無線通信方法。
【請求項９】
前記ＢＷＰは、前記サイドリンク送信及び受信のみに使用され、別のＢＷＰが、前記キャリアにおけるユーザ機器と基地局との間の伝送に対して割当てられる、
請求項８に記載の無線通信方法。
【請求項１０】
前記ＢＷＰ及び前記別のＢＷＰは、前記キャリアにおいて同時にアクティブである、
請求項９に記載の無線通信方法。
【請求項１１】
動的なＢＷＰ切り替えは、ＤＣＩを用いた切り替えであり、ＤＣＩを用いた動的なＢＷＰ切り替えは、前記キャリアにおける前記サイドリンク送信及び受信に対してサポートされない、
請求項８に記載の無線通信方法。
【請求項１２】
前記ＢＷＰにおけるスロットのサイドリンク持続時間は、ＴＤＤ（時分割複信）の場合、前記別のＢＷＰにおけるスロットフォーマットの変更に伴って変更される、
請求項９に記載の無線通信方法。
【請求項１３】
前記キャリアのＢＷＰにおいてサイドリンク送信するか、又は同じキャリアの別のＢＷＰにおいて前記ユーザ機器と基地局間チャネルを送信するかは、２つのチャネルの優先順位に基づいて決定される、
請求項９に記載の無線通信方法。
【請求項１４】
前記ＢＷＰは、前記サイドリンク送信及び受信用の時間領域リソースを示すビットマップが含まれているＢＷＰ設定シグナリングによって設定される、
請求項８に記載の無線通信方法。
【国際調査報告】
2021530880.tif 000017
2021530880.tif 000018